Podtech/llm-jp-corpus-v4-ja_patent huggingface dataset:
(57)【要約】【課題】本考案は木構造材の接合部のしなりやきしみを金物と緩衝材が受け止めつつ柱と一体となって強風や地震の外力に対応することによって軸組みの柔軟な補強をする。【解決手段】本考案は主として木造軸組み建築物の屋内角隅部天井下の三本柱に連接して水平に取り付けられ、帯金物の中間位置が直角の頂点となるように成形した帯金物１と二角カッコ記号形状〕に成形された帯金物２と金物端部３に組みつけられた緩衝材４が柱のしなりやきしみを受け止めつつ、柱と一体となって外力に対して補強をする。【選択図】図２
0003117235.tif 000002
【実用新案登録請求の範囲】
【請求項１】
係止孔を多数穿設された帯金物の中間位置を直角の頂点とし、各辺の中間位置にボルト穴またはタップ穴を穿設したものと、別の帯金物を二角カッコ形状〕に成形し、端面部にボルト穴を穿設したものに、緩衝材またはダンパーを交互に、両端または片端に介し、ボルト、ナットで組みつけられて、主として木造軸組み建築物の屋内角隅部天井下の三本柱に連接して、水平に取り付けられるのを特徴とする木構造用耐震連接金物
【考案の詳細な説明】
【技術分野】
【０００１】  本考案は、木構造用金物に関するものである。
【背景技術】
【０００２】  木造建築構造材の接合部の補強は筋交いや金物で堅固に固定するのが一般的であった。
【考案の開示】
【考案が解決しようとす課題】
【０００３】  筋交いでの補強は開口部をとることになるし、改造補強は手間と時間を要し非常に困難な工事となる。従来の金物での補強は地震や風による柱のしなりやきしみを全部柱の強度で吸収することになり、古い柱では強度的に問題が生じてくる。
【問題を解決するための手段】
【０００４】  本考案は主として、木造軸組み建築物の屋内角隅部の三本の柱に連接して、水平に設置され、柱のしなりやきしみを緩衝材が受け止めつつ柱と一体になって外力に対応することによって、軸組み構造の柔軟な補強となることによって問題を解決している。
【考案の効果】
【０００５】  上述のように、本考案の木構造用耐震連接金物は緩衝材を設けたので、軸組み柱の地震や強風による、しなりやきしみを受け止めつつ、軸組み構造の抜けや、はずれを防ぎ、また古い柱でも比較的容易に対応できる。
【考案を実施するための最良の形態】
【０００６】  木造軸組み建築物の屋内角隅部の天井下の三本の柱に連接して、帯金物の中間位置を直角の頂点として成形したるものを、ラグスクリューボルト、木工ネジ、ボルト、釘、ドリリングタップネジ等の固定手段で水平に固着したるところに、別の帯金物を二角カッコ記号形状〕に成形し、両端面部にボルト孔を穿設したものの端面をはさんで、穴付き円筒形緩衝ゴムまたはコイルバネダンパーを交互に二個、両端または片端に取り付け、座金またはリッジカラーを介してボルト、スプリングワッシャー、ナットで固定する。
【実施例】
【０００７】  以下、添付図面にしたがって一実施例を説明する。１は帯金物の中間位置を直角の頂点とし、各辺の中間位置にボルト穴またはタップ穴を穿設したものである。２は別の帯金物を二角カッコ記号形状〕に成形し、両端面部にボルト穴を穿設したものである。２の端部３を挟み込んで、穴付き円筒形緩衝ゴム４を交互に二個介しつつ、ボルト５を座金６とスプリングワッシャー７を介してナット８で固着することにより、取り付けられた軸組み柱のしなりやきしみを受け止めつつ補強する。コイルバネダンパー９の場合も前記と同様にリッジカラー１０を介して組み付けられ補強される。
【図面の簡単な説明】
【０００８】
【図１】本考案の穴付き円筒形緩衝ゴムを組み付けた木構造用耐震連接金物を木造軸組み建築物の屋内角隅部天井下の三本柱に連接して水平に取り付けた場合の斜視図である。
【図２】本考案の穴付き円筒形緩衝ゴムを片側のみに組み付けた場合の木構造用耐震連接金物の斜視図である。
【図３】本考案のコイルバネダンパーを片側のみに取り付けた場合の木構造用耐震連接金物の斜視図である。
【符号の説明】
【０００９】  １  中間位置を直角の頂点として成形したる帯金物
２  二角カッコ記号形状〕に成形したる帯金物
３  〕に成形したる帯金物の端部
４  穴付き円筒形緩衝ゴム
５  ボルト
６  座金
７  スプリングワッシャー
８  ナット
９  コイルバネダンパー
１０  リッジカラー
１１  柱
１２  天井
１３  壁
【図１】
0003117235.tif 000003
【図２】
0003117235.tif 000004
【図３】
0003117235.tif 000005
(57)【要約】【課題】  コードの長さ調整及び収納を行う、携帯性に優れたコード巻き付け式携帯型音楽再生装置用ケースを提供する。【解決手段】  携帯型音楽再生装置の外周部に沿ってコードを巻き付け収納するコード巻き付け用収納溝を設けたケースにより、コードの長さを調整し収納するという課題を解決する。【選択図】  図３
0003117240.tif 000002
【実用新案登録請求の範囲】
【請求項１】
携帯型音楽再生装置の外周部に沿ってイヤホンコードを巻きつける収納溝をケース外側に設けた事を特徴とするコード巻き付け式携帯型音楽再生装置用ケース
【請求項２】
請求項１に於いて、収納溝を覆う立ち上げ部を収納溝側面に設けたことを特徴とするコード巻き付け式携帯型音楽再生装置用ケース
【請求項３】
請求項１に於いて、コード係止用溝をケースに設けたことを特徴とする特徴とするコード巻き付け式携帯型音楽再生装置用ケース
【請求項４】
請求項１に於いて、コード係止用爪をケースに設けたことを特徴とする特徴とするコード巻き付け式携帯型音楽再生装置用ケース
【考案の詳細な説明】
【技術分野】
【０００１】  本考案は、携帯型音楽再生装置のイヤホンコードの収納に関する物である。
【背景技術】
【０００２】  従来の技術思想では、携帯型音楽再生装置のイヤホンコードはリール形状の器具に巻取る方式により長さの調整及び収納が行われていた。
【考案の開示】
【考案が解決しようとする課題】
【０００３】  本考案はコードの長さ調整及び収納を行う、携帯性に優れた携帯型音楽再生装置の収納ケースを提供する。
【課題を解決するための手段】
【０００４】  本考案は携帯型音楽再生装置の外周部に沿ってコードを巻き付け収納するコード収納溝を設けたケースにより、コードの長さを調整し収納するという課題を解決する。
【考案の効果】
【０００５】  上記のように本考案のコード収納式携帯型音楽再生装置用ケースを使用することで、イヤホンコードの長さを容易に調整することが出来る。またケース外周部にコードを収納出来るため複雑な機構の巻き取り装置を用いることなく軽量化が可能であり、使用者は好みのイヤホンのコードの長さを自在に調節して使用することが出来る。本考案の実施によりコードのからみを防止し、余分なコードの処理の問題を解決することが出来る。
【考案を実施するための最良の形態】
【０００６】  携帯型音楽再生装置のカバー外周部にイヤホンコードを巻き付け配置可能な収納溝を設けたケース。イヤホンコードは該再生装置をケースに配置した後、収納溝に沿って巻き付け収納する。コードの巻き戻りを防ぐため収納溝には立ち上げ部が設けられる。収納溝への巻き数を加減する事で、イヤホンコードの長さを調整できる。
【実施例】
【０００７】  以下、添付図面に基づいて実施例を説明する。
図１は本考案のコード巻き付け式携帯型音楽再生装置用ケースの平面である。２は携帯型音楽再生装置を収納させる立ち上げ壁であり、３ａはコード収納溝３を構成するフランジ部である。
１ｂはコードを取り込み取り出す開口部、１ｃは音楽再生装置の操作部用開口部である。【０００８】  図２は該ケース１に携帯型音楽再生装置５を配置し、該ケースのコード収納溝３にイヤホンコード６を巻き付け収納した実施例の平面図である。【０００９】  図３は該ケース１に携帯型音楽再生装置５とイヤホンコード６が巻き付け収納される配置関係の側面図である。８はケースの蓋であり、５ａは該音楽再生装置５の操作部である。
図４は実施例の配置の俯瞰図である。本体５を収納したケース１の外周のコード収納溝３にコード６を巻き付けるため、コードの長さの調整が容易に出来る。８ａは吊り下げひも用の取り付け穴である。【００１０】  図５は収納溝フランジ部３ａに収納溝を覆う立ち上げ部９を設けた実施例である。コードは立ち上げ部９と蓋８の隙間から挿入しコード収納溝３に巻き付ける。【００１１】  図６はコード係止用溝１０を収納溝に設けコードの巻き戻りを防止した実施例である。
図７はコード係止用爪１１を蓋に設けコードの巻き戻りを防止した実施例である。
【図面の簡単な説明】
【００１２】
【図１】コード巻き付け式携帯型音楽再生装置用ケースの平面である。
【図２】コードを巻き付け収納した状態の平面である。
【図３】コードを巻き付け収納した状態の側面である。
【図４】コードとケースと該本体の配置関係の俯瞰図である。
【図５】コード収納溝を覆う立ち上げ部を設けた状態の断面である。
【図６】コード係止用溝を収納溝に設けた状態の断面である。
【図７】コード係止用爪を収納溝に設けた状態の断面である。
【符号の説明】
【００１３】  １ケース
２携帯型音楽再生装置収納用立ち上げ壁
３コード収納溝
４プラグ
６イヤホンコード
７イヤホン
８蓋
１０コード係止用溝
１１コード係止用爪
【図１】
0003117240.tif 000003
【図２】
0003117240.tif 000004
【図３】
0003117240.tif 000005
【図４】
0003117240.tif 000006
【図５】
0003117240.tif 000007
【図６】
0003117240.tif 000008
【図７】
0003117240.tif 000009
(57)【要約】      （修正有）【課題】ＣＤ或はＤＶＤ等の記憶ディスクに、既存のＣＤ収納ケースを利用しディスク盤上に確実且つ正確に貼り付けると共に低コストなラベルを提供する。【解決手段】表面基材・接着糊・離形紙の3層のラベルであって、離形紙にスリットと中央部にミシン目付きの穴を有することを特徴とするラベル。ＣＤ及びＤＶＤ等の記録ディスクは、ケースに設けられている突起部によって収納固定されている。この突起部６を利用しラベル中心孔１２と記録ディスクを固定且つ定位置に保ち剥離紙７に入れられたスリットにより分けられた離形紙小8を接着ラベル４より剥がし記録ディスクの上部に接着する。それにより接着ラベル４と記録ディスクが固定され離形紙大１４を剥がし残りの糊部を接着することによって、ラベルがキチンと貼られた記録ディスクが得られる。【選択図】図２
0003117232.tif 000002
【実用新案登録請求の範囲】
【請求項１】
収納ケースの中央に設けられたと凸部に嵌合される中心孔を有するＣＤ或はＤＶＤ等の円形記録ディスクと、この記録ディスクの中心孔より離れた位置にスリットを設けて中心孔より離れた小面積の第一離形面と、更にこれより大面積の第二離形面とでなした離形紙と、この離形紙を下面に有し、且つこの第一離形部分を剥離した状態で、当該部分の接着部分が前記記録ディスクに貼着されると共に、而も第二離形部分を剥離した状態で当該部分の接着部分が貼着される接着層を備えるラベルとでなしたことを特徴とする記録ディスク収納装置。
【請求項２】
ラベルは記録ディスクの外径より小径としたことを特徴とする請求項１記載の記録ディスク収納装置。
【請求項３】
離形紙はその四隅が円形記録ディスクより突出する様にはみ出す四辺形としたことを特徴とする請求項１の記録ディスク収納装置。
【請求項４】
ラベルの外径と離形紙の外径はほぼ同一とし、前記離形紙の第一、第二の離形部分から摘み片を突出させた請求項１〜２記載の記録ディスク収納装置。
【考案の詳細な説明】
【技術分野】
【０００１】
本考案は、ＣＤ或はＤＶＤ等の記録ディスクにラベルを貼付するための記録ディスク収納装置に関する。
【背景技術】
【０００２】
ＣＤ或はＤＶＤ等の記録ディスクには片面に予め情報が記録されており、他面にはその記録されている情報の内容が印刷などにより記載されている。その他、近年では、予め情報が記録されておらず、使用者が好みの情報等を記録できる記録ディスクが普及されている。この記録ディスクには音楽、映像等の情報を好みにより編集などをし、記録することが出来るので急速に普及されている。
【０００３】
従来、こうした記録ディスクには記録面とは反対側に製品の名前などが印刷されており、その上に記録内容を手書きにて表示することにより見栄えの悪いものであった。そこで別途用意したラベルにプリンター等を使い所望する表示を表わし、そのラベルを記録ディスクに貼付けて見栄え等が良いものが得られるようになったが、このラベルは記録ディスクに正確且つ均一に貼り付けないと、見栄えも悪くなり、情報も再生できない場合や再生の為の機械が故障する原因になったりした。
【０００４】
そうしたことから、ラベルを正確に貼り付けるための用具が色々と提供されているが、構造が複雑なものや、機械式などでスペースをとったり、簡素すぎて正確に貼れなかったりして、満足のいくものが少ない。
【特許文献１】特開２０００−３２６９４４
【考案の開示】
【考案が解決しようとする課題】
【０００５】
本考案は、構造が簡素であって使い易く、ＣＤ或はＤＶＤ等の記録ディスクにラベルを正確且つ綺麗に貼ることの出来る記録ディスク収納装置を提供するものである。
【課題を解決するための手段】
【０００６】
表面基材・接着層・離形紙の3層のラベルであって、離形紙にスリットと中央部にミシン目付きの穴を有することを特徴とするラベル。ＣＤ或はＤＶＤ等の記録ディスク１０は、ケース５に設けられている突起部６によって収納固定されている。この突起部６を利用しラベル中心孔１２と記録ディスク１０を固定且つ定位置に保ち離形紙７に入れられたスリット３により分けられた離形紙小8を接着ラベル４より剥がし記録ディスク１０の上部に接着する。それにより接着ラベル４と記録ディスク１０が固定され接着ラベル４より離形紙大１４を剥がし残りの糊部を接着することによって、ラベルがキチンと貼られた記録ディスクが得られる。
【考案の効果】
【０００７】
請求項1により、離形紙を２分割することで小面積接着部貼付時に記録ディスクに対し固定し貼り損じをなくすことが出来る。
即ち、貼付作業を２段階に分けることによって、中心孔により固定されたラベルを
第１段階の小面積貼付で固定の確定をし、完璧に固定された状態で第2段階に移行することが出来る。
請求項2により、接着ラベル4が記録ディスクより、はみ出すことが無く、再生機械のトラブルや見栄えも良くなる。
請求項3により、接着ラベル4が離形紙7から容易に剥がすことが出来る。
【考案を実施するための最良の形態】
【０００８】
以下の本考案の実施の形態を示す図面に基づき説明する。
【実施例１】
【０００９】
ＣＤ或はＤＶＤ等の記録ディスク１０は、ケース５に設けられている突起部６にその中心孔１１を嵌合して取り外し可能に固定されている。その固定された記録ディスク１０に対し、上記ラベルに設けたミシン目２により取ることの出来るラベル中心部９を取り外し、ラベル中心孔１２を突起部６に嵌め合わせると、このラベル本体１は突起部６に対し固定されてズレ動かず貼付すべき定位置に位置決めをすることができる。
【実施例２】
【００１０】
こうして位置決めされたラベル本体１の離形紙７に入れられたスリット３によって分割された離形紙小８を接着ラベル４より剥がし、接着層１３の一部を露出させ、記録ディスク１０に接着ラベル４の一部を接着させる。
【実施例３】
【００１１】
一部が接着された状態の接着ラベル４に残った離形紙大１４を接着ラベル４より続いて剥がし、残っていた接着層１３を記録ディスク１０の残りの部分に接着ラベル４を完全に貼付する。そうすることによって、接着ラベル４が記録ディスク１０に容易にズレることなくキチンと綺麗に貼付することが出来た記録ディスク１０が得られる。
【図面の簡単な説明】
【００１２】
【図１】本考案の平面図である。
【図２】同上の分解図である。
【図３】ケース・ＣＤ或はＤＶＤ等の記録ディスクラベルの説明図である。
【符号の説明】
【００１３】
１  ラベル本体
２  ミシン目
３  スリット
４  接着ラベル
５  ケース
６  ケース突起部
７  離形紙
８  離形紙小
９  ラベル中心部
10  記録ディスク
11  記録ディスク中心孔
12  ラベル中心孔
13  接着層
14  離形紙大
【図１】
0003117232.tif 000003
【図２】
0003117232.tif 000004
【図３】
0003117232.tif 000005
(57)【要約】【課題】  コードの長さ調整及び収納を行う、携帯性に優れたコード巻き付け式携帯型音楽再生装置用ケースを提供する。【解決手段】  携帯型音楽再生装置の外周部に沿ってコードを巻き付け収納するコード巻き付け用収納スペースを設けたケースにより、コードの長さを調整し収納するという課題を解決する。【選択図】  図４
0003117239.tif 000002
【実用新案登録請求の範囲】
【請求項１】
携帯型音楽再生装置のイヤホンコードを該再生装置の外周部に沿って巻き付け収納する収納スペースをケース内側に設けた事を特徴とするコード巻き付け式携帯型音楽再生装置用ケース。
【請求項２】
請求項１に於いて、該再生装置をケース内部に設けた該再生装置より大きな板状の収納材で挟み込み、収納材とケース本体の隙間をイヤホンコードの収納スペースとして利用することを特徴とするコード巻き付け式携帯型音楽再生装置用ケース。
【考案の詳細な説明】
【技術分野】
【０００１】  本考案は、携帯型音楽再生装置のイヤホンコードの収納に関する物である。
【背景技術】
【０００２】  従来の技術思想では、携帯型音楽再生装置のイヤホンコードはケース内部の収納スペースに折り曲げ束ねて収納されていた。またリール形状の器具に巻取る方式により長さの調整及び収納が行われていた。
【考案の開示】
【考案が解決しようとする課題】
【０００３】  本考案はコードの長さ調整及び収納を行う、携帯性に優れた携帯型音楽再生装置の収納ケースを提供する。
【課題を解決するための手段】
【０００４】  本考案は携帯型音楽再生装置の外周部に沿ってコードを巻き付け収納するコード収納スペースを設けたケースにより、コードの長さを調整し収納するという課題を解決する。
【考案の効果】
【０００５】  上記のように本考案のコード収納式携帯型音楽再生装置用ケースを使用することで、イヤホンコードの長さを容易に調整することが出来る。また該再生装置の外周部に沿ってコードを収納出来るため複雑な機構の巻き取り装置を用いることなく軽量化が可能であり、使用者は好みのイヤホンのコードの長さを自在に調節して使用することが出来る。本考案の実施によりコードのからみを防止し、余分なコードの処理の問題を解決することが出来る。
【考案を実施するための最良の形態】
【０００６】  携帯型音楽再生装置の外周部に沿ってイヤホンコードを巻き付け収納可能な収納スペースをケース内部に設けたコード巻き付け式携帯型音楽再生装置用ケース。イヤホンコードは該再生装置をケース内部に配置した後、該再生装置に沿って設けられた収納スペースに巻き付け収納する。イヤホンコードは必要な長さだけケース外部に取り出して使用する。収納スペースへの巻き数を加減する事で、イヤホンコードの長さを調整できる。
【実施例】
【０００７】  以下、添付図面に基づいて実施例を説明する。
図１は本考案のコード巻き付け式携帯型音楽再生装置用ケースの平面である。２は携帯型音楽再生装置を収納させる立ち上げ壁であり、３はコード収納スペース、４はケース蓋、４ａは該再生装置の操作部表示部の開口である。【０００８】  図２は該ケース１に携帯型音楽再生装置５を配置し、該ケースのコード収納スペース３にイヤホンコード６を巻き付け収納した実施例の平面図である。【０００９】  図３は該ケース１に携帯型音楽再生装置５とイヤホンコード６が巻き付け収納される配置関係の側面図である。
図４は実施例の配置の俯瞰図である。携帯型音楽再生装置５を収納したケース１の内部の立ち上げ壁の外周のコード収納スペース３にコード６を巻き付け収納するため、コードの長さの調整が容易に出来る。【００１０】  図５は携帯型音楽再生装置５を該再生装置より大きな板状の収納板８で挟み込み、収納板とケース本体の隙間をイヤホンコードの収納スペースとして利用した実施例である。コードは収納板８とケース本体の隙間に出来た収納スペースに巻き付けて収納できる。
【図面の簡単な説明】
【００１１】
【図１】コード巻き付け式携帯型音楽再生装置用ケースの平面である。
【図２】コードを巻き付け収納した状態の平面である。
【図３】コードを巻き付け収納した状態の側面である。
【図４】コードとケースと該再生装置の配置関係の俯瞰図である。
【図５】収納板で音楽再生装置を挟み込んだ状態の俯瞰図である。
【符号の説明】
【００１２】  １ケース
２携帯型音楽再生装置収納用立ち上げ壁
３コード収納スペース
４ケース蓋
６イヤホンコード
７イヤホン
８収納板
【図１】
0003117239.tif 000003
【図２】
0003117239.tif 000004
【図３】
0003117239.tif 000005
【図４】
0003117239.tif 000006
【図５】
0003117239.tif 000007
(57)【要約】      （修正有）【課題】指に力の入らない人、手に障害を持つ人、高齢者、子供等にも容易に開封ができ。また取付け、取外しも容易であり、誰にでも使用出来る缶飲料開封器具を提供する。【解決手段】缶のふち１の一部をふち固定部３と、プルタブ２を支持するプルタブ支持部７と、可動するアームＡ４、アームＢ６と、稼働させるレバー５とを備えた缶飲料開封器具。【選択図】図２
0003117231.tif 000002
【実用新案登録請求の範囲】
【請求項１】
缶飲料のプルタブ側のふちの一部にふち固定部を設けて、プルタブをプルタブ支持部とアームを使い、レバーを稼働させ、梃子の原理によりプルタブを持ち上げて開封する機構を備えた、缶飲料開封器具。
【考案の詳細な説明】
【技術分野】
【０００１】  本考案は、缶飲料開封に使用する缶飲料開封器具に関する。
【背景技術】
【０００２】  従来又は一般的な開封では、手による開封で行われている（図３）。
【考案の開示】
【考案が解決しようとする課題】
【０００３】  普通に開封出来る人には支障はないが、指に力の入らない人、手に障害を持つ人、高齢者、子供等には開封が困難な場合がある。
【課題を解決するための手段】
【０００４】  そこで、缶飲料のプルタブ側のふちの一部にふち固定部を設けて、プルタブをプルタブ支持部とアームを使い、レバーを稼働させ、梃子の原理により持ち上げて開封する機構を備えた、缶飲料開封器具を考案した（図１）。
この缶飲料開封器具により、指による開封より少ない力で開封が出来る。（図２）
【考案の効果】
【０００５】  よって、本考案の缶飲料開封器具により、指に力の入らない人、手に障害を持つ人、高齢者、子供等にも容易に開封が出来る。また取付け、取外しも容易であり、誰にでも使用出来る。
【考案を実施するための最良の形態】
【０００６】  本考案の缶飲料開封器具（３、４、５、６、７から構成するもの）は、図２に示すように、プルタブ２のほうの缶のふち１の一部分に、ふち固定部３で固定し、且つ、プルタブ２にプルタブ支持部７を下から引っ掛け、アームＡ４とアームＢ６をプルタブ２の運動する方向（水平方向）と平行になるように据付ける。そうすればレバー５も運動する方向が同じになる。そして、片方の手で缶Ｃとふち固定部３を支え、もう片方の手でレバー５を開封口の方向へ倒せば、梃子の原理により開封される。素材はステンレスによる形成が望ましい。レバー５は樹脂で覆うほうがよい。ふち固定部３の形状、アームＡ４、アームＢ６の長さは缶Ｃの開封面面の大きさ応じて決める。
【図面の簡単な説明】
【０００７】
【図１】本考案に係る缶飲料開封器具の図である。
【図２】本考案に係る缶飲料開封器具を缶飲料に使用した状態の図である。
【図３】従来の缶飲料の開封方法の図である。
【符号の説明】
【０００８】    １    缶のふち
２    プルタブ
３    ふち固定部
４    アームＡ
５    レバー
６    アームＢ
７    プルタプ支持部
Ｃ    缶
Ｈ    手による開封
【図１】
0003117231.tif 000003
【図２】
0003117231.tif 000004
【図３】
0003117231.tif 000005
(57)【要約】      （修正有）【課題】移し替え時、液体が流入する側のの容器を注意深く見ていなければ液体が容器口から溢れたり容器を満杯にすることが難しく、尚従来のホースポンプでは一旦液体の流出を止めてしまえば再度人力で吸い上げ動作をしなければならない不都合を解決すること。【解決手段】ホースポンプの１０ホース先に１１流出止具を備え１１の内円周に１鉄板輪を設け、その下面に２磁石、３円筒形浮子が上下に重なった磁石浮子式液体流出止具を設置する。１１を容器の口に差し入れ、液体を流出させ１１内の浮子まで液体が上昇すれば、浮子磁石が浮き上がり上方向の鉄板輪と磁石の磁力が引き合い密着して液体の流れを止める。【選択図】図１
0003117216.tif 000002
【実用新案登録請求の範囲】
【請求項１】
液体が流れる管の流出口に円筒形の浮子と円形の磁石を上下に重ね合わせた物と管の内円周に設けた円中心に穴の開いている鉄板輪とを備えた液体流出止具。
【考案の詳細な説明】
【技術分野】
【０００１】  本考案は、サイホン式ホースポンプの液体流出止具に関する。【０００２】  従来のサイホン式ホースポンプは人力によって空気を吸わせて液体の流出をとめていた。図３
【考案の開示】
【考案が解決しようとする課題】
【０００３】  しかしこれでは容器から別容器へ液体を移し替え作業中は液体の流出を注意深く見守っていなければ移し替えられた容器の口から液体が溢れたり又、移し替え用の容器に液体を満杯にするのがはなはだ難しく不便である。
【課題を解決するための手段】
【０００４】  そこで容器から別容器へ移し替え液体を移し替えるサイホン式ホースポンプの流出口に液体流出止具を考案した（図２）この液体流出止具により移し替え中の容器からは液体が溢れ出たり又、容器に液体を容易に満杯にする事が出来るのである。
【考案の効果】
【０００５】  よって本考案のサイホン式ホースポンプの液体流出止具により、液体の移し替え作業中に溢れる危険もなくなり、容器に液体を容易に満杯にする事が出来る。又、再度液体を流出させる時も吸い上げ作業の手間もいらなく、従来の不便さはなくなる。
【考案を実施するための最良の形態】
【０００６】  本考案に係るサイホン式ホースポンプの液体流出止具は図１に示すように▲１▼の円中心に穴の開いた鉄板輪と▲２▼▲３▼が重ねあっている円筒形浮子と円形磁石を備えている。そして▲６▼液体逆流止幕が▲７▼ａ▲７▼ｂとで当接されて密閉設置される。▲１１▼止具本体は▲１０▼流出用ホースの径の太さで決めればよい。表材はプラスチックで形成するのが望ましく、油に強い物質にする。
【図面の簡単な説明】
【０００７】
【図１】  本考案に係るサイホン式ホースポンプ液体流出止具を使って液体を容器に流出させている状態の断面図である。
【図２】  図１の使用中、液体の流出が止まった状態の断面図である。
【図３】  従来のサイホン式ホースポンプの断面図である。
【符号の説明】
▲１▼．円中心に円形の穴のある磁石吸付用鉄板輪
▲２▼．上下する円形磁石
▲３▼．▲２▼の磁石と重ね合わせている浮子
▲４▼．▲５▼を押し上げる為の押し板
▲５▼．▲１▼▲２▼を引き離す為の押し下げ棒
▲６▼．逆流止幕
▲７▼．▲５▼の棒の中心をささえ及び円錐形の逆流止幕の円周止具
▲７▼ａ．円錐形幕の上部止具
▲７▼ｂ．円錐形幕の上部止具
▲８▼．液面
▲９▼．液の流れ
▲１０▼．ポンプの出口ホース管
▲１１▼．サイホン式ホースポンプの液体流出止具本体
▲１２▼．移し替え用の容器
▲１３▼．従来の手動空気吸口ネジ
【図１】
0003117216.tif 000003
【図２】
0003117216.tif 000004
【図３】
0003117216.tif 000005
(57)【要約】      （修正有）【課題】医療用の各種材料として持続性に優れた抗菌性不織布の提供。【解決手段】繊維素材に無機系抗菌剤を０．１〜１０重量％含有せしめた抗菌繊維を水編み又は融着加工してなる眼科医療用抗菌性不織布を特徴とする。前記の無機系抗菌剤が亜鉛化合物及び亜鉛化合物とアルミニウム硫酸塩の混合物から選ばれた抗菌剤の一種または二種以上であることを特徴とし、亜鉛化合物が酸化亜鉛、炭酸亜鉛、シュウ酸亜鉛、クエン酸亜鉛及びフマル酸亜鉛から選ばれた一種または二種以上であることを特徴とし、且つ、前記のアルミニウムの硫酸塩が硫酸アルミニウムまたは硫酸アルミニウムカリウムであることを特徴とするものであり、眼科医療以外の医療用縫製品にも応用できるものである。【選択図】図１
0003117214.tif 000002
【実用新案登録請求の範囲】
【請求項１】
繊維素材に無機系抗菌剤を０．１〜１０重量％含有せしめた抗菌繊維を水編み又は融着加工してなることを特徴とする眼科医療用抗菌性不織布。
【請求項２】
前記の無機系抗菌剤が亜鉛化合物及び亜鉛化合物とアルミニウム硫酸塩の混合物から選ばれた抗菌剤の一種または二種以上である請求項１記載の眼科医療用抗菌性不織布。
【請求項３】
亜鉛化合物が酸化亜鉛、炭酸亜鉛、シュウ酸亜鉛、クエン酸亜鉛及びフマル酸亜鉛から選ばれた一種または二種以上である請求項１乃至２記載の眼科医療用抗菌性不織布。
【請求項４】
アルミニウムの硫酸塩が硫酸アルミニウムまたは硫酸アルミニウムカリウムである請求項１乃至２記載の眼科医療用抗菌性不織布。
【考案の詳細な説明】
【技術分野】
【０００１】  本考案は、眼科医療用抗菌性不織布に関する。さらに詳しくは、眼科医療に於いて、患者や医師、看護士や看護助手、検査技師等に対して皮膚刺激がなく、雑菌の繁殖防止に有用な眼科医療用抗菌性不織布に関する。
【背景技術】
【０００２】  近年、抗菌性をもった衣料品としては、靴下、肌着およびオムツ等があり、その進歩はめざましい。一方、医療関係をみると病院で使用されるパジャマ、シーツ、枕カバー、白衣等さまざまな用途に抗菌性衣料材料が展開されている。
不織布の利用についてみれば、例えば、無機系抗菌剤として広く使われている銀系抗菌剤を繊維の中に練り込んだ繊維を熱加工した抗菌不織布が特許文献１に開示されている。
上記の銀系抗菌剤は、有機系の抗菌剤と比べて皮膚等への影響は少ないものの、尿に含まれる硫黄化合物と反応し、急激に抗菌効果が失われる問題があった。
最近では病院におけるＭＲＳＡ（メシチリン耐性黄色ブドウ状球菌）による院内感染がしばしば発生しており、医療用の各種材料として持続性に優れた抗菌性不織布の要望が高まってきている。【０００３】
【特許文献１】  実公昭６４−９２５号公報
【考案の開示】
【考案が解決しようとする課題】
【０００４】  そこで、本考案は、上述した課題を解決するためになされたものであって、その目的は、皮膚への影響がなく、雑菌の繁殖を有効に防止できる眼科医療用抗菌性不織布を提供することにある。
【課題を解決するための手段】
【０００５】  上述した目的を達成するため、本考案は、請求項１において、繊維素材に無機系抗菌剤を０．１〜１０重量％含有せしめた抗菌繊維を水編み又は融着加工してなる眼科医療用抗菌性不織布を特徴とするものである。【０００６】  請求項２において前記の無機系抗菌剤が亜鉛化合物及び亜鉛化合物とアルミニウム硫酸塩の混合物から選ばれた抗菌剤の一種または二種以上であることを特徴としている。【０００７】  請求項３において前記の亜鉛化合物が酸化亜鉛、炭酸亜鉛、シュウ酸亜鉛、クエン酸亜鉛及びフマル酸亜鉛から選ばれた一種または二種以上であることを特徴としている。【０００８】  請求項４において前記のアルミニウムの硫酸塩が硫酸アルミニウムまたは硫酸アルミニウムカリウムであることを特徴としている。
【考案の効果】
【０００９】  以上のごとき本考案によれば、抗菌性不織布を構成する繊維素材に、少なくとも亜鉛化合物及び亜鉛化合物とアルミニウム硫酸塩の混合物から選ばれた抗菌剤を包含させることによって、長期にわたり抗菌力を持続することができる。
【考案を実施するための最良の形態】
【００１０】  本考案に用いられる不織布を構成する繊維は、ポリエチレン、ポリプロピレン、ポリアミド、ポリエチレンテレフタレート或いはこれらの組み合わせによる混繊または複合繊維のいずれでもよく、その単糸デニールは０．２〜１０デニールが好ましい。【００１１】  本考案で抗菌剤として使用する亜鉛化合物としては、例えば、酸化亜鉛、硫酸亜鉛、塩化亜鉛、炭酸亜鉛、リン酸亜鉛等の無機亜鉛化合物、クエン酸亜鉛、シュウ酸亜鉛、ギ酸亜鉛、酢酸亜鉛及びフマル酸亜鉛等の有機亜鉛塩が挙げられるが特に好ましいものは、酸化亜鉛及び炭酸亜鉛である。
更に、本考案で上記亜鉛化合物に併用されるアルミニウムの硫酸塩は、硫酸アルミニウム、硫酸アルミニウムカリウムであり、特に好適なものは硫酸アルミニウムカリウムである。【００１２】  上記抗菌剤は、不織布構成繊維内で０．１〜１０重量％を占める割合が好適で、抗菌剤の含有量が少なさすぎると雑菌の繁殖防止効果が充分でなく、また、抗菌剤の量が多すぎると繊維の物性が低下するので好ましくない。【００１３】  本考案の眼科医療用抗菌性不織布は、眼科医療用縫製品に利用されるのみではなく、病院の白衣、シーツ、枕カバー、トイレタリー用品、眼科用ウエットティシュ、オムツ、オムツカバー、生理用品等の広い範囲での抗菌製品に応用することができる。
【実施例１】
【００１４】  ポリプロピレン樹脂１００重量部に抗菌剤として酸化亜鉛及び硫酸アルミニウムカリウムからなる（重量比８：２）の混合物５重量部を配合し、押出成型機で混練、押出して、ペレットを作成した。
次にこのペレットを通常の紡糸機で紡糸し、抗菌剤含有ポリプロピレン繊維を得た。
この繊維を熱融着させる所定の方法で、抗菌性スパンボンド不織布を作製した。
上記の抗菌性不織布を用いて抗菌性試験を行なった結果を表１に示されている。
【比較例１】
【００１５】  実施例１の酸化亜鉛及び硫酸アルミニウムカリウムを除き、その他は実施例１と同様にして抗菌性スパンボンド不織布を作製し、抗菌性試験を行なった結果も表１に示されている。
【００１６】（抗菌性試験方法）
（１）供試菌株として大腸菌（Ｂ、ｃｏｌｉ  ＩＡＭ１２６８）を培養した。
（２）試験用不織布：実施例１および比較例１で得た不織布をオートクレーブに入れ１２０℃１．２気圧で１５分間滅菌処理する。
（３）培養：滅菌処理した不織布上に上記の培養液１ｍｌを滴下する。この不織布をガラス容器に入れ３５℃で２４時間保持する。
（４）測定：上記培養液を生理食塩水で洗い出してＢＢＬ培地で３５℃、２４時間培養し、菌数を測定する。
【表１】
0003117214.tif 000003
【図面の簡単な説明】
【００１７】図１は本考案に係る眼科医療用抗菌性不織布の断面図である。
【符号の説明】
【００１８】  １．抗菌性不織布
２．抗菌繊維
【図１】
0003117214.tif 000004
(57)【要約】      （修正有）【課題】老眼の人が、虫眼鏡を台所などで、必要な時すぐ利用できるようにする。【解決手段】虫眼鏡１の柄の裏側に磁石２を取り付け、冷蔵庫のドアーや洗濯機の前面にくっつけて置けるようにした。【選択図】図１
0003117211.tif 000002
【実用新案登録請求の範囲】
【請求項１】
虫眼鏡の柄の裏側部分に磁石を取り付けたもの。
【考案の詳細な説明】
【技術分野】
【０００１】  本考案は、虫眼鏡を手軽に利用するためのものである。
【背景技術】
【０００２】  従来には、しゃもじの柄の部分に虫眼鏡を組み込んだものがあった。
登録番号    登録実用新案第３０６９６４８号
考案の名称  レンズ付きしゃもじ
【考案の開示】
【考案が解決しようとする課題】
【０００３】  老眼などにより細かい文字が見えにくくなった人が、台所で食品のパッケージに印刷されている加熱時間や水の分量などを見たり、洗濯時に洗剤の分量を確認するために、眼鏡を持ってきたり、虫眼鏡を探したりしてわずらわしいという問題を有していた。
【課題を解決するための手段】
【０００４】  上記問題を解決するために、虫眼鏡の柄の裏側部分に磁石を取り付け、冷蔵庫のドアーや洗濯機にくっつけて置けるようにした。
【考案の効果】
【０００５】  虫眼鏡を冷蔵庫のドアーや洗濯機の前面など目立った場所に置くことができ、調理などで必要な時すぐ利用できる。
【図面の簡単な説明】
【０００６】
【図１】  磁石付き虫眼鏡を示した背面図である。
【図２】  磁石付き虫眼鏡を示した側面図である。
【符号の説明】
【０００７】  １      虫眼鏡
２      磁石
【図１】
0003117211.tif 000003
【図２】
0003117211.tif 000004
(57)【要約】      （修正有）【課題】従来の物はフレームの角度が固定で小角度に製作されており小サイズの婦人靴等履物類の収納は可能であるが大サイズの紳士靴等履物類を同じラックで整理収納はできないのを改良した。【解決手段】フレームを上下に分割し下部フレームに小角度ストッパー及び大角度ストッパーを設置し小サイズの婦人靴等履物類を収納する時には上部フレームの差込部を前記小角度ストッパーにセットして使用し大サイズの紳士靴等履物類を収納する時には前記大角度ストッパーに前記上部フレームの差込部をセットすれば整理収納が可能になる。【選択図】図２
0003117213.tif 000002
【実用新案登録請求の範囲】
【請求項１】
下部フレームの小角度ストッパー及び大角度ストッパーに上部フレームの差込部をセットし前記下部フレーム及び前記上部フレームに片足ずつの靴等履物類をセットしシューズ棚や下駄箱等に片足分のスペースで１足の靴等履物類を整理収納する事が可能なラック。
【考案の詳細な説明】
【技術分野】
【０００１】本考案は収納の分野で下駄箱やシューズ棚等に片足分のスペースで１足の靴等履物類を整理収納するラックに関するものである。
【技術背景】
【０００２】従来から片足分のスペースで１足の靴等履物類を整理収納するラックがあった。
【考案の開示】
【考案が解決しようとする課題】
【０００３】従来の物はフレームの角度が固定で小角度で製作されており婦人靴等小サイズの履物類も紳士靴等大サイズの履物類も同じラックで整理収納することは出来ない。
【課題を解決する為の手段】
【０００４】従来の物は下部フレームと上部フレームが一体で固定であったがフレームを上下に分割し上記下部フレームに小角度ストッパー及び大角度ストッパーを設置して上記上部フレームの差込部をセットする事により上記上部フレームの角度を変更し婦人靴等小サイズの履物類も紳士靴等大サイズの履物類も同じラックで整理収納する事を可能にした。
【考案の効果】
【０００５】フレームを上下に分割し婦人靴等小サイズの物は下部フレームの小角度ストッパーに紳士靴等大サイズの物は前記下部フレームの大角度ストッパーに上部フレームの差込部をセットして前記上部フレームの角度を変える事により婦人靴等小サイズの履物類も紳士靴等大サイズの履物類も同じラックで整理収納する事が出来る。
【考案を実施する為の最良の形態】
【０００６】〔図１〕正面図
〔図２〕左側面図
〔図３〕右側面図
〔図４〕部品図
〔図５〕組立図
〔図６〕従来の物の図及び今回考案の物の図
〔図１〜図５〕の符号
▲１▼上部フレーム
▲１▼−１差込部
▲２▼下部フレーム
▲２▼−１小角度ストッパー
▲２▼−２大角度ストッパー
図中の符号▲２▼−１に図中の符号▲１▼−１をセットして図中の符号▲１▼（上部フレーム）を小角度とし図中の符号▲２▼−２に図中の前記符号▲１▼−１をセットして前記符号▲１▼（上部フレーム）を大角度とする。
本考案は以上に述べた実施例に限定されるものではない。
【図面の簡単な説明】
【０００７】
【図１】正面図
【図２】左側面図
【図３】右側面図
【図４】部品図
【図５】組立図
【図６】従来の物の図及び今回考案の物の図
【符号の説明】
【０００８】▲１▼上部フレーム
▲１▼−１差込部
▲２▼下部フレーム
▲２▼−１小角度ストッパー
▲２▼−２大角度ストッパー
【図１】
0003117213.tif 000003
【図２】
0003117213.tif 000004
【図３】
0003117213.tif 000005
【図４】
0003117213.tif 000006
【図５】
0003117213.tif 000007
【図６】
0003117213.tif 000008
(57)【要約】      （修正有）【課題】乗用車内で、仮眠をとる時にグローブボックスが邪魔にならないような形状で、収納スペースが小さいレッグレストを提供する。【解決手段】フタ１を上向きにし、枠３の折込み部６を伸ばし相マーク７を合わせて、フタの縁８と固定片２の隙間に差し込む。次に座席を後ろへ、背もたれをいっぱいまで倒し、グローブボックス側が低くなるようフタを上にしてレッグレストを置く。【選択図】図１
0003117215.tif 000002
【実用新案登録請求の範囲】
【請求項１】
勾配をつけた折りたたみ式の段ボールの枠に、フタをすることを特徴とする車内仮眠用レッグレスト。
【考案の詳細な説明】
【技術分野】
【０００１】  本考案は乗用車の運転席や助手席で仮眠をとる時に使う仮眠補助具に関するものである。
【背景技術】
【０００２】  従来の補助具は、リクライニングシートを倒してマットを敷くもの（実用新案文献１参照）。また、座面から前方に補助具を敷くものもある（実用新案文献２参照）。
【実用新案文献１】
実用新案公開  平７−９１５５号公報
【実用新案文献２】
登録実用新案  第３０６７６２９号公報
【考案の開示】
【考案が解決しようとする課題】
【０００３】  そのため次のような問題点があった。
（イ）形状が大きく取り扱いにくく収納スペースが大きい。
（ロ）グローブボックスが邪魔になり足を伸ばせない。
本考案は、以上の問題点を解決するためになされたものである。
【課題を解決するための手段】
【０００４】  勾配をつけた折りたたみ式の段ボールの枠にフタをする。以上を特徴とする車内仮眠用レッグレストである。
【考案の効果】
【０００５】  車内で簡単に組立ができ、グローブボックスの下まで足が伸ばせて、軽乗用車以上の運転席、助手席で使える。
【考案を実施するための最良の形態】
【０００６】  以下、本考案の実施の形態を説明する。
（イ）フタ（１）の対向する短辺（１１）の内側に固定片（２）を設ける。
（ロ）枠（３）の対向する長辺（４）に勾配をつけ、対向する短辺（５）に折込み部（６）を設ける。
（ハ）フタ（１）、枠（３）とも段ボール二重構造とする。
本考案は以上のような構造でこれを使用するときは、フタ（１）を上向きにし、枠（３）の折込み部（６）を伸ばし相マーク（７）を合わせて、フタの縁（８）と固定片（２）の隙間に差し込む。次に座席を後ろへ、背もたれをいっぱいまで倒し、グローブボックス（９）側が低くなるようフタ（１）を上にしてレッグレスト（１０）を置く。
【図面の簡単な説明】
【０００７】
【図１】本考案の分解斜視図
【図２】本考案の使用状態を示す斜視図
【符号の説明】
１    フタ
２    固定片
３    枠
４    長辺
５    短辺
６    折込み部
７    相マーク
８    フタの縁
９    グローブボックス
１０  レッグレスト
１１  短辺
【図１】
0003117215.tif 000003
【図２】
0003117215.tif 000004
(57)【要約】【課題】紋様ガラス構造を提供する。【解決手段】本考案の紋様ガラス構造は、建築壁板や壁材に応用でき、ガラス素材の高透光度、高硬度、高耐摩損度等の特性により、紋様パターンを付加した美しいラインが呈現でき、美観を有する。構造設計上、主に、ガラス素材に、粘着剤を均一に被覆し、紋様パターンを粘着剤層上に印刷して、粘着剤界面により、紋様印刷を緊密に貼合し、更に、保護膜層を被覆して、紋様パターンの耐摩損性を増加し、無色透明なガラス素材の応用範囲を増加させ、芸術鑑賞用としても、実用経済的にも産業価値がある。【選択図】図２
0003117262.tif 000002
【実用新案登録請求の範囲】
【請求項１】
建築設計、及び、壁材置設に使用する紋様ガラス構造であって、主に、ガラス内面に、粘着剤を均一に被覆して界面とし、紋様パターン層を前記ガラス内面上に印刷すると共に、透明、或いは、不透明の保護膜層を被覆して、パターンが傷付いたり、損傷するのを防止することを特徴とする紋様ガラス構造。
【請求項２】
大面積のガラス素材を直接、紋様パターンして、任意の加工作業を施すことができることを特徴とする請求項１に記載の紋様ガラス構造。
【請求項３】
前記紋様パターン層は、実際の需要に応じて、各種紋様を付加することができることを特徴とする請求項１に記載の紋様ガラス構造。
【考案の詳細な説明】
【技術分野】
【０００１】
本考案は、彩紋ガラス構造に関するものであって、特に、建築用途の壁板に用いる彩紋ガラス構造に関するものである。
【背景技術】
【０００２】
一般の建築設計、或いは、壁材において、ガラスはよく使用される施工材料である。しかし、ガラスは、色や模様の変化に乏しく、色調がなく、単調であり、使用範囲が狭い。それに対応して、業者は、ガラス表面に模様を付加したガラス紋様構造を提供しているが、主に、パターンをシールに印刷した後、台紙を剥がして、ガラス素材表面の所定位置に貼附しただけのものである。
【０００３】
紋様ガラス構造は、ある種の美観を表現することが出来るが、ガラス構造中のシールは、一定時間後、変質して、剥離する可能性があり、美観を損ねる。紋様ガラス構造は、紋様シールをガラス表面の貼附した後、切割や穴を開ける等の加工を加えると、シールが欠損して、紋様構造が破壊され、実用価値が喪失する。
【考案の開示】
【考案が解決しようとする課題】
【０００４】
本考案は、紋様パターンを呈現できるガラス構造で、使用者の美観への要求を達成し、建築用途、或いは、壁板製材上の市場趨勢に符合し、好ましい産業価値を提供することを目的とする。
【０００５】
本考案は、紋様ガラス構造の緊密な結合により、紋様パターンが変質したり、温度差によりパターンが色褪せたり、脱落、剥離する減少を防止し、公知のシール紋様構造の欠点を改善することをもう一つの目的とする。
【０００６】
本考案は、構造の改良設計により、紋様を印刷するガラスは、一度で大面積が完成し、穿孔作業や切割作業も可能で、生産コストを減少させ、幅広い用途を提供することを更なる目的とする。
【０００７】
本考案は、堅固なガラス紋様構造を提供し、粘着剤により、界面を紋様パターンし、ガラス素材と緊密に結合して、後続の加工時に、色褪せることがなく、壁材、壁板等に使用できるようにすることを最後の目的とする。
【課題を解決するための手段】
【０００８】
上述の目的を達成するため、本考案の構造は、主に、ガラス素材に、粘着剤を均一に被覆し、紋様パターンを粘着剤層上に印刷して、粘着剤界面により、紋様印刷を緊密に貼合し、更に、保護膜層を被覆する。
【考案の効果】
【０００９】
本考案により、加工を加えると、紋様構造が破壊され、実用価値が喪失するという従来の欠点を改善し、後続の加工時に色褪せたり、剥落することがない。
【考案を実施するための最良の形態】
【００１０】
図１は、本考案の立体図で、図２は、構造実施図である。図で示されるように、本考案は、構造設計上、いかなる加工もされていないガラス素材（２１）を洗浄、乾燥後、粘着剤層（２２）を均一に被覆し、紋様パターン層（２３）を固定する界面とする。紋様パターン層（２３）をガラス表面の粘着剤層（２２）上に印刷して、更に、透明、或いは、不透明の保護膜層（２４）を被覆して、紋様ガラス構造（２０）の防護を形成する。
【００１１】
これにより、上述の構造が組み合わされて、紋様パターン層（２３）とガラス素材（２１）は緊密に結合し、その後、穿孔、切割等の相関する加工が実施され、建築用途の壁材、或いは、壁板の応用に符合し、公知のガラス紋様構造が加工できない欠点を改善する。
【００１２】
更に、本考案の紋様ガラス構造（２０）は、ガラス素材（２１）内面に紋様を付加する時、先に、粘着剤層（２２）を被覆した後、紋様パターン層（２３）をその上に印刷し、更に、保護膜層（２４）を形成すれば、紋様ガラス構造（２０）が完成できるので、工程が容易で、品質も好ましく維持され、色褪せや脱落も発生しにくい。本考案を利用すると、大面積のガラス素材を利用し、印刷した後、実際の要求に応じて切割作業を実行できるので、コスト問題も改善される。また、需要に応じて、各種紋様を付加できるので、多様化のニーズに応えられる。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の紋様ガラスの立体図である。
【図２】本考案の紋様ガラスの構造実施図である。
【符号の説明】
【００１５】
２０…紋様ガラス構造
２１…ガラス素材
２２…粘着剤層
２３…紋様パターン層
２４…保護膜層
【図１】
0003117262.tif 000003
【図２】
0003117262.tif 000004
(57)【要約】      （修正有）【課題】筒の途中にコインを保持させ、そのコインを別のコインが貫通したように見せる手品用の筒を提供する。【解決手段】 チューブＡ１、チューブＢ２、ジョイント３の部品を組み立てる時、ストレートネジ同士で接続する場合には、中央部分に、コイン１枚分だけを保持するスペースが確保される、一方、不完全またはテーパネジ４とストレートネジ５で接続する場合には、中央部分に、コイン２枚分を保持するスペースが確保される。この原理を利用して、１枚の小コイン７を密かに、保持することが可能となる。密かに保持されている１枚は、溝にはまっているだけなので、全体を振ることによって、落とすことが可能である。密かに保持された１枚の小コイン７を落とすことにより、コインがコインを貫通した様に誤認させる手品道具である。【選択図】 図１
0003117261.tif 000002
【実用新案登録請求の範囲】
【請求項１】
筒の途中にコインを保持させ、そのコインを別のコインが貫通した様に見せる手品用の筒に関するもので、チューブＡ１、チューブＢ２、ジョイント３の３種類の部品から構成され、チューブA１には不完全またはテーパネジ４、  チューブB２にはストレートネジ５、  ジョイント３には不完全またはテーパーネジ４およびストレートネジ５を切っている、これらチューブＡ１、チューブＢ２、ジョイント３の部品を組み立て、１個の筒状の形状とする時、ストレートネジ同士で接続する場合と、不完全またはテーパネジ４とストレートネジ５で接続する場合で、中央部分にできる隙間の寸法が変化する、このことを利用する手品道具。
【考案の詳細な説明】
【技術分野】
【０００１】
本考案は、筒の途中に大コインを保持させ、その大コインを別の小コインが貫通した様に見せる手品用の筒に関するものである。
【考案の開示】
【考案が解決しようとする課題】
【０００２】
本考案では、筒の途中に大コインを保持させ、その大コインを別の小コインが貫通した様に見せる手品用の筒に関するものであり、道具を第三者に手渡しても、仕掛けを悟られない手品用の筒を提供するものである。
【課題を解決するための手段】
【０００３】
チューブＡ１、チューブＢ２、ジョイント３の３種類のチューブを提供し、チューブA１には不完全またはテーパネジ４、  チューブB２にはストレートネジ５、  ジョイント３には不完全またはテーパーネジ４およびストレートネジ５を切っている。  これらチューブＡ１、チューブＢ２、ジョイント３の部品を組み立てる時、図２の様に、ストレートネジ同士で接続する場合には、中央部分に、コイン１枚分だけを保持するスペースが確保される、  一方、図３の様に不完全またはテーパネジ４とストレートネジ５で接続する場合には、中央部分に、コイン２枚分を保持するスペースが確保される。  この原理を利用して、１枚の小コイン７を密かに、保持することが可能となる。  密かに保持されている１枚は、溝にはまっているだけなので、全体を振ることによって、落とすことが可能である。  密かに保持された１枚の小コイン７を落とすことにより、コインがコインを貫通した様に誤認させる手品道具である。
【考案の効果】
【０００４】
チューブＡ１、チューブＢ２、ジョイント３の３種類のチューブを組み立てる時、図２の様に、ストレートネジ同士で接続する場合には、中央部分に、コイン１枚分だけを保持するスペースしか確保されない。  そのためこの状態で、第三者が同じ操作をしても、同じ結果が得られないため、手品の仕掛けを悟られにくい。
【図面の簡単な説明】
【０００５】
【図１】３点の部品を示した断面図である。
【図２】中央部分にコイン１枚分のスペースを確保するように３点の部品を組み立てた断面図である。
【図３】中央部分にコイン２枚分のスペースを確保するように３点の部品を組み立てた断面図である。
【符号の説明】
【０００６】
１  チューブA
２  チューブB
３  ジョイント
４  不完全またはテーパーネジ
５  ストレートネジ
６  大コイン
７  小コイン
【図１】
0003117261.tif 000003
【図２】
0003117261.tif 000004
【図３】
0003117261.tif 000005